(57)【特許請求の範囲】
【請求項１】
Ｗ字形に折り畳まれた収納部を有し、Ｗ字形の収納部の両縁において外側のフイルムと内側のフイルムの１組ずつが溶着され、Ｗ字形の外側の２枚のフイルムが上方に延長されて手提げ部を形成し、手提げ部に指穴が設けられてなるものであって、Ｗ字形に折り畳まれた収納部の２本の外折り線部が、さらに小さいｗ字形に折り畳まれてなることを特徴とする盤状物用手提げ袋。
【請求項２】
長尺のチューブ状のプラスチックフイルムを移送しつつ、（１）両側縁に１対のＷ字形のガゼット折りを有する帯状フイルムを形成し、（２）Ｗ字形のガゼット折りの中央の折り目の間に断熱性の受け台を挿入し、受け台の両側から熱溶着刃を押し付けてＷ字形にガゼット折りされた外側のフイルムと内側のフイルムを１組ずつ袋体の幅ごとに溶着して溶着線を形成し、（３）該溶着線がＷ字形の収納部の両縁となるように帯状フイルムを袋体の幅ごとに切断し、（４）帯状フイルムを長さ方向の中心線の位置において切断し、（５）手提げ部に指穴を打ち抜くことを特徴とする盤状物用手提げ袋の製造方法。
【請求項３】
両側縁のＷ字形のガゼット折りの２本の外折り線部に、さらに小さいｗ字形のガゼット折りを有する帯状フイルムを形成する請求項２記載の盤状物用手提げ袋の製造方法。
【発明の詳細な説明】
【０００１】
【発明の属する技術分野】
本発明は、盤状物用手提げ袋及びその製造方法に関する。さらに詳しくは、本発明は、構造が簡単で取り扱いやすく、簡単な工程で経済的に製造することができる、盤状の品物（盤状物）を水平に保持したまま収納するためのプラスチックフイルム製の盤状物用手提げ袋及びその製造方法に関する。
【０００２】
【従来の技術】
一般に、寿司、弁当、和菓子、洋菓子などを収容した盤状の品物（盤状物）は、内容物の保護のために、水平に保持して持ち運ぶ必要がある。このような品物は、従来、ふろしきに包んだり、紐をかけて中央部を吊るしたりして持ち運ばれていたが、近年に至って、より簡便なプラスチックフイルム製の盤状物用手提げ袋が使用されるようになった。しかし、プラスチックフイルム製の盤状物用手提げ袋の多くは、吊り下げたときに袋が破損しやすく、外観がよくないなどの欠点を有していた。
本発明者は、実開昭５９−６０９１６号公報において、これらの欠点を改良した盤状物用手提げ袋を提案した。図１(ａ)は、この盤状物用手提げ袋の平面図であり、図１(ｂ)は、Ａ−Ａ線切断部端面図であり、図１(ｃ)は、Ｂ−Ｂ線切断部端面図である。この盤状物用手提げ袋は、盤状の袋体部１と該袋体部を水平に保持し得る手提げ部２とからなるフイルム製手提げ袋であって、該袋体部の上面の中心線に沿って左右に開く開口部３を設け、該開口部の縁に沿って袋体部の一方の周辺から他方の周辺に２本のテープ状フイルムを架けて、各々のテープの両端部を袋体部の周辺部に固定し、左右２本のテープ状フイルムの片方の側縁と開口部の左右の縁とを左右それぞれ別々に固定し、開口部の左右の縁の中央部に指穴４を設けた手提げ袋である。
この盤状物用手提げ袋は、重量が重い盤状物でも収納することができ、盤状物の重量に片寄りがあっても水平を保つことができるので、好評を博して広く使用されるようになった。しかし、重量が軽い盤状物に対してはこの盤状物用手提げ袋はやや過剰品質であり、より簡単な工程で経済的に製造することができ、手軽に使用することができる盤状物用手提げ袋の開発が望まれてきた。
【０００３】
【発明が解決しようとする課題】
本発明は、構造が簡単で取り扱いやすく、簡単な工程で経済的に製造することができる、盤状物を水平に保持したまま収納するためのプラスチックフイルム製の盤状物用手提げ袋及びその製造方法を提供することを目的としてなされたものである。
【０００４】
【課題を解決するための手段】
本発明者は、上記の課題を解決すべく鋭意研究を重ねた結果、Ｗ字形に折り畳まれた収納部を有し、Ｗ字形の収納部の両縁において外側のフイルムと内側のフイルムの１組ずつが溶着され、Ｗ字形の収納部の２本の外折り線を開いて水平な底部とすることができる盤状物用手提げ袋が、構造が簡単で取り扱いやすく、しかも簡単な工程で経済的に製造することができることを見いだし、この知見に基づいて本発明を完成するに至った。
すなわち、本発明は、
（１）Ｗ字形に折り畳まれた収納部を有し、Ｗ字形の収納部の両縁において外側のフイルムと内側のフイルムの１組ずつが溶着され、Ｗ字形の外側の２枚のフイルムが上方に延長されて手提げ部を形成し、手提げ部に指穴が設けられてなるものであって、Ｗ字形に折り畳まれた収納部の２本の外折り線部が、さらに小さいｗ字形に折り畳まれてなることを特徴とする盤状物用手提げ袋、
（２）長尺のチューブ状のプラスチックフイルムを移送しつつ、(１)両側縁に１対のＷ字形のガゼット折りを有する帯状フイルムを形成し、(２)Ｗ字形のガゼット折りの中央の折り目の間に断熱性の受け台を挿入し、受け台の両側から熱溶着刃を押し付けてＷ字形にガゼット折りされた外側のフイルムと内側のフイルムを１組ずつ袋体の幅ごとに溶着して溶着線を形成し、(３)該溶着線がＷ字形の収納部の両縁となるように帯状フイルムを袋体の幅ごとに切断し、(４)帯状フイルムを長さ方向の中心線の位置において切断し、(５)手提げ部に指穴を打ち抜くことを特徴とする盤状物用手提げ袋の製造方法、及び、
（３）両側縁のＷ字形のガゼット折りの２本の外折り線部に、さらに小さいｗ字形のガゼット折りを有する帯状フイルムを形成する第(２)項記載の盤状物用手提げ袋の製造方法、
を提供するものである。
【０００５】
【発明の実施の形態】
本発明の盤状物用手提げ袋は、長尺のチューブ状のプラスチックフイルムを原材料とする。使用する長尺のチューブ状のプラスチックフイルムは、熱可塑性プラスチックフイルムであれば特に制限はなく、例えば、ポリエチレン、ポリプロピレン、塩化ビニル樹脂、ポリエステル、ナイロンなどのフイルムを用いることができる。これらの中で、ポリエチレンフイルム及びポリプロピレンフイルムは、インフレーション法により容易に製造することができ、加工性が良好であるので、特に好適に使用することができる。また、プラスチックフイルムとしては、１種のプラスチックのみからなる単層フイルムも、２種以上のプラスチックからなる積層フイルムも使用することができる。
本発明方法において、通常の製袋工程で使用される公知の装置、例えば、ガゼット折り装置、フイルムの連続供給装置、ワンピッチ移送装置、溶着装置、溶断装置、切断装置などを適宜使用することができる。
【０００６】
図２(ａ)は、本発明の盤状物用手提げ袋の一態様の平面図であり、図２(ｂ)は、図２(ａ)のＣ−Ｃ線切断部端面図であり、図２(ｃ)は、図２(ａ)の盤状物用手提げ袋の斜視図であり、図２(ｄ)は、図２(ｃ)の盤状物用手提げ袋のＷ字形の収納部の外折り線を開いた状態を示す斜視図である。本態様の盤状物用手提げ袋は、Ｗ字形に折り畳まれた収納部５と、Ｗ字形の外側の２枚のフイルムが上方に延長されてなる手提げ部６からなる。Ｗ字形の収納部は、その両方の縁７において外側のフイルムと内側のフイルムの１組ずつが溶着され、Ｗ字形の２本の外折り線８を開いて水平な底部を形成し得る構造となっている。手提げ部の上方中央部には、指穴９が設けられる。
本態様の盤状物用手提げ袋を使用するときは、図２(ｃ)に示す状態から、Ｗ字形の収納部の２本の外折り線を開いて、図２(ｄ)に示す水平な底部を有する状態とし、手提げ部の２枚のフイルムの間から盤状物を収納部に収める。盤状物を収納したのち、手提げ部の指穴に手の指を入れて盤状物を水平に保ったまま持ち運びすることが可能である。
【０００７】
図３は、図２に示す態様の盤状物用手提げ袋に盤状物を収納する状態を示す説明図である。図３(ａ)は、図２(ａ)のＣ−Ｃ線切断部端面図であり、図３(ｂ)は、Ｗ字形の収納部の２本の外折り線を開いた状態を示す切断部端面図であり、図３(ｃ)は盤状物を収納した状態を示す切断部端面図である。図３(ａ)の状態から、Ｗ字形の収納部の２本の外折り線８を開いて図３(ｂ)に示す水平な底部１０を有する状態とし、図３(ｃ)に示すように盤状物１１を収納する。
本発明の盤状物用手提げ袋は、収納部の折り畳み回数をさらに増すことができる。図４は、本発明の盤状物用手提げ袋の他の態様の平面図及び切断部端面図である。本態様の盤状物用手提げ袋は、Ｗ字形に折り畳まれた収納部の２本の外折り線部が、さらに小さいｗ字形に折り畳まれている。図４(ａ)は、本態様の盤状物用手提げ袋の平面図であり、図４(ｂ)は、図４(ａ)のＤ−Ｄ線切断部端面図であり、図４(ｃ)はＷ字形の２本の外折り線を開いて水平な底部１０を形成した状態を示す切断部端面図であり、図４(ｄ)は、盤状物１１を収納した状態を示す切断部端面図である。Ｗ字形に折り畳まれた収納部の２本の外折り線部に、さらに小さいｗ字形の折り畳みを設けることにより、厚さの大きい盤状物を収納することが可能となる。
【０００８】
本発明の盤状物用手提げ袋の製造方法は、長尺のチューブ状のプラスチックフイルムを移送しつつ、(１)両側縁にＷ字形のガゼット折りを有する帯状フイルムを形成し、(２)Ｗ字形のガゼット折りの中央の折り目の間に断熱性の受け台を挿入し、受け台の両側から熱溶着刃を押し付けて外側のフイルムとガゼット折りされた内側のフイルムを１組ずつ袋体の幅ごとに溶着し、(３)帯状フイルムを袋体の幅ごとに溶着線において切断し、(４)帯状フイルムを長さ方向の中心線の位置において切断し、(５)手提げ部に指穴を打ち抜く各工程より構成される。
図５は、チューブ状フイルム及びガゼット折りされた帯状フイルムの切断部端面図であり、図６は、本発明の製造方法の説明図である。図５(ａ)に示す長尺のチューブ状のプラスチックフイルム１２をガゼッター１３に送り、図５(ｂ)に示す両側縁にＷ字形ガゼット折り１４を有する帯状フイルム１５を形成する。必要に応じて、Ｗ字形ガゼット折りの２本の外折り線部に、さらに小さいｗ字形のガゼット折りを有する図５(ｃ)に示す形状の帯状フイルムを形成することもできる。円形のガゼッターの入口に、内部の空気圧により膨らませた長尺のチューブ状のプラスチックフイルムを連続的に供給して、ガゼット折りを行う。ガゼッターの出口は、図５(ｂ)に示すようなガゼット折り帯状フイルムと同一の形状である。ガゼッターの断面は、入口の円形から徐々に出口形状へと変化し、フイルムはガゼッターの中を移動する間に次第にガゼット折り帯状フイルムの形状に折り畳まれる。ガゼッター出口を出たガゼット折り帯状フイルムは、ニップロール（図示していない。）で挟まれ、次の工程に送られる。ニップロールで挟むことにより、チューブ状のプラスチックフイルム内の空気がニップロールを越えて流れることがなく、ガゼット折り帯状フイルムは安定してその形状を保つことができる。
【０００９】
本発明の製造方法においては、次いで、Ｗ字形のガゼット折りの中央の折り目の間に断熱性の受け台１６を挿入し、受け台の両側から熱溶着刃１７を押し付けて、外側のフイルムとガゼット折りされた内側のフイルムを１組ずつ袋体の幅ごとに溶着する。熱溶着刃は、図６に示すように上下１対となった熱溶着刃２組を袋体の幅だけ離して使用することができ、あるいは、上下１対となった熱溶着刃を１組だけ用いて、ワンピッチ移送により袋体の幅ずつガゼット折り帯状フイルムを動かしながら、袋体の幅ごとに溶着することもできる。溶着は、盤状物用手提げ袋の収納部となるＷ字形のガゼット折りの部分のみに施せば十分であるが、図２に示すような収納部より手提げ部の上端に至る曲線状の縁を有する盤状物用手提げ袋の場合は、手提げ部となるフイルム２枚重ねの部分を溶着しても、２枚重ねの部分は切断して除去されるので特に支障はない。
本発明の製造方法においては、熱溶着刃は、隣接する袋体の溶着縁２本が同時に形成されるように、熱溶着刃１枚によりわずかの間隙をおいて同時に２本の溶着線が形成される構造のいわゆるゲタ刃を用いることが好ましい。本発明方法においては、Ｗ字形のガゼット折りの中央の折り目の間に断熱性の受け台を挿入して、受け台の両側から熱溶着刃を押し付けて溶着するので、ガゼット折りされた外側のフイルムと内側のフイルムが１組ずつ溶着され、ガゼット折り部分の４枚のフイルムが一体となって溶着されることがない。ガゼット折りされた外側のフイルムと内側のフイルムが１組ずつ溶着されることにより、本発明の盤状物用手提げ袋のＷ字形に折り畳まれた収納部が形成され、Ｗ字形の２本の外折り線を開いて、水平な底部を形成することが可能となる。
【００１０】
本発明の製造方法においては、袋体の幅ごとに溶着して溶着線１８を形成した帯状フイルムを、溶着線がＷ字形の収納部の両縁となるよう袋体の幅ごとに切断し、帯状フイルムの長さ方向の中心線の位置において切断し、手提げ部に指穴を打ち抜き、必要に応じて、収納部より手提げ部の上端に至る曲線状の縁を形成して本発明の盤状物用手提げ袋１９を完成する。中心線の位置における切断により、帯状フイルムの両側から各１個の本発明の盤状物用手提げ袋が得られる。これらの切断、指穴の打ち抜き及び曲線状の縁の形成の工程の組み合わせには特に制限はなく、図６に示す態様においては、打ち抜き刃２０と受け台２１を用いてこれらすべての作業を１工程で行っているが、例えば、袋体の幅ごとに切断したのち、帯状フイルムの長さ方向の中心線の位置における切断、指穴の打ち抜き及び曲線状の縁の形成を別工程で同時に行うことが可能であり、あるいは、これらの工程をすべて別工程として逐次的に行うことも可能である。本発明の製造方法によれば、チューブ状のフイルムの袋体の幅１個分から２個の手提げ袋を得ることができるので、生産性に優れ、盤状物用手提げ袋を経済的に製造することができる。
【００１１】
【発明の効果】
本発明の盤状物用手提げ袋は、構造が簡単で取り扱いやすく、盤状の品物（盤状物）を水平に保持したまま収納し、安定して持ち運ぶことができる。また、本発明方法によれば、この盤状物用手提げ袋を、長尺のチューブ状のプラスチックフイルムから、簡単な工程により、連続的かつ容易に製造することができ、チューブ状のフイルムの袋体の幅１個当たり、２個の手提げ袋を得ることができるので、特に生産性に優れている。
【図面の簡単な説明】
【図１】図１は、従来の盤状物用手提げ袋の平面図及び切断部端面図である。
【図２】図２は、本発明の盤状物用手提げ袋の一態様の平面図、切断部端面図及び斜視図である。
【図３】図３は、盤状物を収納する状態を示す説明図である。
【図４】図４は、本発明の盤状物用手提げ袋の他の態様の平面図及び切断部端面図である。
【図５】図５は、チューブ状フイルム及びガゼット折りされた帯状フイルムの切断部端面図である。
【図６】図６は、本発明の製造方法の説明図である。
【符号の説明】
１  袋体部
２  手提げ部
３  開口部
４  指穴
５  収納部
６  手提げ部
７  縁
８  外折り線
９  指穴
１０  底部
１１  盤状物
１２  チューブ状のプラスチックフイルム
１３  ガゼッター
１４  Ｗ字形ガゼット折り
１５  帯状フイルム
１６  受け台
１７  熱溶着刃
１８  溶着線
１９  盤状物用手提げ袋
２０  打ち抜き刃
２１  受け台
【図１】
0004047444.tif 000002
【図２】
0004047444.tif 000003
【図３】
0004047444.tif 000004
【図４】
0004047444.tif 000005
【図５】
0004047444.tif 000006
【図６】
0004047444.tif 000007